(57)【要約】【課題】加温ないし冷却の効率を高めることの可能な保温又は保冷庫を提供する。【解決手段】冷温庫１は、内部に庫内空間を有する本体１０と、本体１０に対して開閉可能に設けられた蓋体２０と、本体１０の側面に設けられた、電池パックを収容する電源ボックス５０と、蓋体２０に設けられた、庫内の加温又は冷却が可能なペルチェ素子３０、上部フィン３１、上部ファン３２、下部フィン３３、及び下部ファン３４と、を備える。発泡ウレタン１９は、庫内空間１０ａを囲む。配線５６は、発泡ウレタン１９内を通って蓋体２０内に延びる。【選択図】図８
2018091501.tif 000002
【特許請求の範囲】
【請求項１】
内部に庫内空間を有する本体と、
前記本体に対して開閉可能に設けられた蓋体と、
前記本体の側面に設けられた、電池パックを収容する電源ボックスと、
前記蓋体に設けられた、庫内の加温又は冷却が可能な熱電素子及びファンと、を備えることを特徴とする、保温又は保冷庫。
【請求項２】
前記電池パックは、前記電源ボックス内に着脱可能であることを特徴とする、請求項１に記載の保温又は保冷庫。
【請求項３】
前記電池パックが、電動工具駆動用の電池パックであることを特徴とする、請求項２に記載の保温又は保冷庫。
【請求項４】
前記電源ボックス内に収容された回路基板を備え、
前記回路基板が前記電池パックの上方に配置されることを特徴とする、請求項１から３のいずれか一項に記載の保温又は保冷庫。
【請求項５】
前記熱電素子及び前記ファンが、前記蓋体の中央からずらして配置されることを特徴とする、請求項１から４のいずれか一項に記載の保温又は保冷庫。
【請求項６】
前記蓋体は、自身の中央を挟んで前記熱電素子及び前記ファンと反対側に、庫内空間に臨む凹部を有することを特徴とする、請求項５に記載の保温又は保冷庫。
【請求項７】
前記熱電素子及び前記ファンが、前記蓋体を閉じた状態において、前記蓋体の中央よりも前記電源ボックス寄りとなる位置に設けられることを特徴とする、請求項５又は６に記載の保温又は保冷庫。
【請求項８】
前記本体及び前記蓋体に、庫内空間を囲む断熱材が設けられることを特徴とする、請求項１から７のいずれか一項に記載の保温又は保冷庫。
【請求項９】
前記断熱材が、発泡ウレタンであり、
前記電源ボックスと前記熱電素子及び前記ファンとを接続する配線が、前記発泡ウレタン内を通ることを特徴とする、請求項８に記載の保温又は保冷庫。
【請求項１０】
前記配線が、前記本体に対する前記蓋体の開閉軸付近を通って前記本体から前記蓋体に渡されることを特徴とする、請求項９に記載の保温又は保冷庫。
【請求項１１】
前記電源ボックスが前記本体と別体であることを特徴とする、請求項１から１０のいずれか一項に記載の保温又は保冷庫。
【発明の詳細な説明】
【技術分野】
【０００１】
本発明は、電池パックの電力で動作する熱電素子を備える保温又は保冷庫に関する。
【背景技術】
【０００２】
下記特許文献１は、ペルチェ効果を有する熱電素子に内部バッテリから通電する可搬型のクーラーボックスを開示する。
【先行技術文献】
【特許文献】
【０００３】
【特許文献１】特開平９−１３８０４７号公報
【発明の概要】
【発明が解決しようとする課題】
【０００４】
特許文献１のクーラーボックスは、ペルチェ素子の周囲の空気が庫内を循環しにくく、加温ないし冷却の効率が悪かった。また、熱電素子やファン、電池パック等の最適な配置については考慮されていなかった。
【０００５】
本発明はこうした状況を認識してなされたものであり、その目的は、加温ないし冷却の効率を高めることの可能な保温又は保冷庫を提供することにある。また、熱電素子やファン、電池パック等の配置を最適にした保温又は保冷庫を提供することにある。
【課題を解決するための手段】
【０００６】
本発明のある態様は、保温又は保冷庫である。この保温又は保冷庫は、
内部に庫内空間を有する本体と、
前記本体に対して開閉可能に設けられた蓋体と、
前記本体の側面に設けられた、電池パックを収容する電源ボックスと、
前記蓋体に設けられた、庫内の加温又は冷却が可能な熱電素子及びファンと、を備えることを特徴とする。
【０００７】
前記電池パックは、前記電源ボックス内に着脱可能であってもよい。
【０００８】
前記電池パックが、電動工具駆動用の電池パックであってもよい。
【０００９】
前記電源ボックス内に収容された回路基板を備え、
前記回路基板が前記電池パックの上方に配置されてもよい。
【００１０】
前記熱電素子及び前記ファンが、前記蓋体の中央からずらして配置されてもよい。
【００１１】
前記蓋体は、自身の中央を挟んで前記熱電素子及び前記ファンと反対側に、庫内空間に臨む凹部を有してもよい。
【００１２】
前記熱電素子及び前記ファンが、前記蓋体を閉じた状態において、前記蓋体の中央よりも前記電源ボックス寄りとなる位置に設けられてもよい。
【００１３】
前記本体及び前記蓋体に、庫内空間を囲む断熱材が設けられてもよい。
【００１４】
前記断熱材が、発泡ウレタンであり、
前記電源ボックスと前記熱電素子及び前記ファンとを接続する配線が、前記発泡ウレタン内を通ってもよい。
【００１５】
前記配線が、前記本体に対する前記蓋体の開閉軸付近を通って前記本体から前記蓋体に渡されてもよい。
【００１６】
前記電源ボックスが前記本体と別体であってもよい。
【００１７】
なお、以上の構成要素の任意の組合せ、本発明の表現を方法やシステムなどの間で変換したものもまた、本発明の態様として有効である。
【発明の効果】
【００１８】
本発明によれば、加温ないし冷却の効率を高めることの可能な保温又は保冷庫を提供することができる。また、熱電素子やファン、電池パック等を最適に配置した保温又は保冷庫を提供することができる。
【図面の簡単な説明】
【００１９】
【図１】本発明の実施の形態に係る冷温庫１の、蓋体２０を閉じた状態の斜視図。
【図２】冷温庫１の、蓋体２０を開けた状態の斜視図。
【図３】冷温庫１の平面図。
【図４】冷温庫１の、上部ファン３２の直下を切断面とした平断面図。
【図５】冷温庫１の正面図。
【図６】冷温庫１の背断面図（図３のＡ−Ａ断面図）。
【図７】冷温庫１の右側面図。
【図８】冷温庫１の右側断面図（図３のＪ−Ｊ断面図）。
【図９】図５のＤ−Ｄ断面図。
【図１０】図５のＥ−Ｅ断面図。
【図１１】冷温庫１の、下部ファンカバー３５の直下を切断面とした底断面図。
【図１２】図３のＦ−Ｆ断面図。
【図１３】図６の下部ファン３４の近傍を拡大した断面図。
【図１４】図１３のＨ−Ｈ断面図。
【図１５】操作パネル５１の拡大図。
【図１６】冷温庫１の制御ブロック図。
【図１７】冷温庫１の制御フローチャート。
【図１８】冷温庫１の動作の一例を示すタイムチャート。
【発明を実施するための形態】
【００２０】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２１】
図１〜図１５を参照し、本発明の実施の形態に係る冷温庫１の構造を説明する。図１により、上下、前後、左右の各方向を定義する。図１０において、上部フィン３１の図示は省略している。冷温庫１は、内部に庫内空間１０ａを有する本体１０と、本体１０に対して開閉可能に設けられた蓋体２０と、本体１０の側面に設けられた電源ボックス５０と、を備える。本体１０、蓋体２０、及び電源ボックス５０は、共に熱伝導率の低い例えば樹脂製である。
【００２２】
本体１０は、４つの側面部１１、及び底面部１２（図５等）を有する。略長方形の底面部１２の各辺から側面部１１が立ち上がり、略直方体の庫内空間１０ａを形成する。図６及び図８に示すように、側面部１１及び底面部１２は、中空壁であり、内部が断熱材としの発泡ウレタン１９で満たされる。本体１０の後側の側面の上部には、蓋体２０を回動可能（開閉可能）に支持する回動支持部１４が設けられる。本体１０の前側の側面の上部には、蓋体２０を閉じた状態にロックするための一対のロック機構１３が設けられ、かつ、一対のロック機構１３の間となる位置に、蓋体２０を開ける際に手を差入可能な凹部１５が設けられる。連結部材１８は、蓋体２０を開放状態で係止するために、本体１０と蓋体２０との間に設けられる。図７に示すように、本体１０の左右側面の上部中央同士を渡すように、持ち運び用の肩掛けバンド１６が設けられる。なお、図７以外においては、肩掛けバンド１６の図示を省略する。図６に示すように、本体１０の左右両側面の上部には、持ち運び用の把手部１７がそれぞれ設けられる。
【００２３】
蓋体２０は、本体１０の上部開口を開閉するものであり、本体１０の回動支持部１４によって本体１０に回動可能に支持される。蓋体２０は、連結部材１８により、本体１０に対して開けられた状態で係止可能である。蓋体２０は、上面部２１、４つの側面部２２、及び下面部２３を有する。略長方形の上面部２１及び下面部２３の各辺同士を渡すように、側面部２２が設けられる。蓋体２０の右上部には、開閉可能な収納部カバー２４ａが設けられ、収納部カバー２４ａの下には収納部２４（図４）が設けられる。収納部カバー２４は、外部電源接続用のケーブル等を収納可能である。図６及び図８に示すように、蓋体２０は、中空であり、内部が断熱材としの発泡ウレタン２９で満たされる。本体１０に設けられた発泡ウレタン１９と、蓋体２０に設けられた発泡ウレタン２９により、庫内空間１０ａの上下、前後、左右が囲まれる。
【００２４】
図６及び図８に示すように、蓋体２０には、庫内（庫内空間１０ａ）の庫内の加温又は冷却が可能な熱電素子としてのペルチェ素子３０、第１フィンとしての上部フィン３１、第１ファンとしての上部ファン３２、第２フィンとしての下部フィン３３、及び第２ファンとしての下部ファン３４が設けられる。ペルチェ素子３０、上部フィン３１、上部ファン３２、下部フィン３３、及び下部ファン３４は、蓋体２０の中央から右方にずらした位置（蓋体２０を閉じた状態において蓋体２０の中央よりも電源ボックス５０寄りとなる位置）に設けられる。図１０及び図１１に示すように、蓋体２０の下面部２３は、自身の中央を挟んでペルチェ素子３０及び上部ファン３２と反対側に、庫内空間１０ａに臨む凹部２３ａを有する。凹部２３ａは、冷温庫１の容量を大きくする目的で設けられる。
【００２５】
蓋体２０の上面部２１には、上部ファン３２の直上となる位置に、第１吸気口としての上部吸気口２５が設けられる。また、蓋体２０には、上面部２１及び前後の各側面部２２に跨がる位置であって上部フィン３１及び上部ファン３２の側方となる位置に、第２排気口としての上部排気口２６が設けられる。蓋体２０の下面部には、下部フィン３３及び下部ファン３４を覆うように、下部ファンカバー３５が設けられる。図１０に示すように、下部ファンカバー３５の下面には、下部ファン３４の直下となる位置に、第２吸気口としての下部吸気口３６が設けられる。図１０及び図１１に示すように、下部ファンカバー３５の下面及び後側の側面に跨がる位置には、第２排気口としての下部排気口３７が設けられる。
【００２６】
上部フィン３１は、熱伝導率の高いアルミ等の金属製であり、ペルチェ素子３０の上面（反庫内側の面）に、伝熱面積を広げるために設けられる。上部ファン３２は、アキシャルファン（軸流ファン）であり、上部フィン３１の上部に設けられる。上部ファン３２は、上部吸気口２５から取り入れた外気を上部フィン３１に吹き付け、上部フィン３１の放熱又は吸熱を促進する。上部ファン３２によって上部フィン３１に吹き付けられた気流は、上部排気口２６を通って蓋体２０の外部に排気される。
【００２７】
下部フィン３３は、熱伝導率の高いアルミ等の金属製であり、ペルチェ素子３０の下面（庫内側の面）に、伝熱面積を広げるために設けられる。下部ファン３４は、ブロワファン（遠心ファン）であり、下部フィン３３の側方（ここでは前方）に設けられる。下部ファン３４は、下部吸気口３６から取り入れた庫内空気を下部フィン３３に吹き付けて下部排気口３７から庫内に戻すことで、庫内の空気を循環させ、庫内の加温又は冷却を促進する。
【００２８】
電源ボックス５０は、本体１０とは別体であり、本体１０の右側面に取り付けられる（例えば下方からスライド装着され、ネジ止め等により固定される）。電源ボックス５０の右側面には、操作パネル５１、ＤＣインプット部カバー５２、及び電池挿入部カバー５３が設けられる。操作パネル５１は、後述のように、使用者が冷温庫１を操作するための各種スイッチや状態表示部を備える。ＤＣインプット部カバー５２は、不図示の電源ケーブル差込口（ＤＣインプット部）を開閉可能に覆うカバーである。電池挿入部カバー５３は、図６及び図１２に示す電池パック５４を開閉可能に覆うカバーである。電源ボックス５０と電池挿入部カバー５３との間は、全周に渡ってゴム等の弾性材からなる水密封止材５７によって水密封止される。
【００２９】
図１５に示すように、操作パネル５１には、電源ボタン（電源スイッチ）５１ａ、モード切替ボタン（モード切替スイッチ）５１ｂ、保冷モード表示ランプ５１ｃ、保温モード表示ランプ５１ｄ、パワー切替ボタン（パワー切替スイッチ）５１ｅ、ハイパワーモード表示ランプ５１ｆ、エコモード表示ランプ５１ｇ、及び充電表示ランプ５１ｈが設けられる。電源ボタン５１ａは、使用者が冷温庫１の駆動、停止を切り替えるためのスイッチである。モード切替ボタン５１ｂは、使用者が冷温庫１の動作モードを保冷モードと保温モードとの間で切り替えるためのスイッチである。保冷モード表示ランプ５１ｃは、保冷モードが選択されている場合に点灯する表示部である。保温モード表示ランプ５１ｄは、保温モードが選択されている場合に点灯する表示部である。パワー切替ボタン５１ｅは、使用者が冷温庫１の運転強度のモードをハイパワーモードとエコモードとの間で切り替えるためのスイッチである。ハイパワーモード表示ランプ５１ｆは、ハイパワーモードが選択されている場合に点灯する表示部である。エコモード表示ランプ５１ｇは、エコモードが選択されている場合に点灯する表示部である。充電表示ランプ５１ｈは、電源ボックス５０内に装着した電池パック５４を外部電源により充電している場合に点灯する表示部である。保冷モード表示ランプ５１ｃ、保温モード表示ランプ５１ｄ、ハイパワーモード表示ランプ５１ｆ、エコモード表示ランプ５１ｇ、充電表示ランプ５１ｈは、図１６に示すマイコン６０によって点灯状態が制御される。図１６では、各ボタン及び各ランプ、並びにそれらとマイコン６０との接続線の図示は省略する。
【００３０】
図６及び図１２に示すように、電源ボックス５０内には、電池パック５４及び回路基板５５が設けられる。電池パック５４は、好ましくは電動工具駆動用の電池パックであり、電源ボックス５０内の端子部に対して着脱可能に設けられる。回路基板５５は、電源ボックス５０内において電池パック５４の上方に設けられる。配線５６は、各種の電気的接続用のケーブルである。配線５６の一部は、図６に示すように電源ボックス５０内から本体１０の側面部１１（右側面）内に入り、発泡ウレタン１９内を通り、図８に示すように、側面部１１（後側面）内から回動支持部１４の開閉軸付近を通って本体１０から蓋体２０内に延び、ペルチェ素子３０、上部ファン３２、及び下部ファン３４にそれぞれ接続される。
【００３１】
図１６〜図１８を参照し、冷温庫１の電気的構成及び制御について説明する。図１６に示すように、電池パック５４の出力電圧は、レギュレータ６４によって制御部としてのマイコン６０の動作電圧（例えばＤＣ５Ｖ）に降圧され、マイコン６０に電源として供給される。また、電池パック５４の出力電圧は、ＦＥＴやＩＧＢＴ等のスイッチング素子Ｑ５を介してＤＣ／ＤＣコンバータ６５に供給される。スイッチング素子Ｑ５は、マイコン６０により制御され、電池パック５４の充電時にはオフされる。
【００３２】
ＤＣ／ＤＣコンバータ６５は、マイコン６０の制御により、電池パック５４の出力電圧を、ペルチェ素子３０、上部ファン３２、及び下部ファン３４の駆動電圧に変換する。ペルチェ素子３０、上部ファン３２、及び下部ファン３４は、ＤＣ／ＤＣコンバータ６５の出力端子間に並列に設けられる。ＦＥＴやＩＧＢＴ等のスイッチング素子Ｑ２は、上部ファン３２の駆動制御用であり、上部ファン３２と直列に設けられる。ＦＥＴやＩＧＢＴ等のスイッチング素子Ｑ３は、下部ファン３４の駆動制御用であり、下部ファン３４と直列に設けられる。ＦＥＴやＩＧＢＴ等のスイッチング素子Ｑ４は、ペルチェ素子３０の駆動制御用であり、ペルチェ素子３０と直列に設けられる。スイッチ機構６６は、リレー等であり、ペルチェ素子３０への駆動電流の方向、すなわちペルチェ素子３０により庫内空間１０ａの加温を行うか冷却を行うかを切り替えるために設けられる。なお、図１６において、スイッチング素子Ｑ２〜Ｑ５の制御端子としてのゲート、ＤＣ／ＤＣコンバータ６５、及びスイッチ機構６６と、マイコン６０との接続線の図示は省略している。
【００３３】
庫内温度センサ６７は、蓋体２０の庫内側に設けられ、庫内空間１０ａの温度を検出し、マイコン６０に送信する（庫内温度センサ６７からの信号によりマイコン６０が庫内温度を検出する）。庫外温度センサ６８は、蓋体２０の庫外側に設けられ、外気温を検出し、マイコン６０に送信する（庫外温度センサ６８からの信号によりマイコン６０が庫外温度を検出する）。
【００３４】
充電回路６１は、外部電源からＡＣアダプタを経由して入力される直流電圧（以下「アダプタ電圧」）により、電池パック５４を充電するための回路である。充電回路６１は、充電用ＩＣ６２、トランス６３、及びＦＥＴやＩＧＢＴ等のスイッチング素子Ｑ１を含む。充電用ＩＣ６２は、スイッチング素子Ｑ１のスイッチング制御により、トランス６３の二次側に電池パック５４の充電用電圧を発生させる。アダプタ電圧は、レギュレータ６４にも供給され、電池パック５４が装着されていない状態でもレギュレータ６４を介してマイコン６０に動作電圧を供給可能である。また、アダプタ電圧は、ＤＣ／ＤＣコンバータ６５にも供給され、電池パック５４が装着されていない状態でもペルチェ素子３０、上部ファン３２、及び下部ファン３４に駆動電圧を供給可能である。
【００３５】
図１７は、冷温庫１の制御フローチャートである。マイコン６０は、アダプタ電圧の入力がある場合において（Ｓ１のＹＥＳ）、電源ボタン５１ａがオンされ（Ｓ２のＹＥＳ）、かつ電池パック５４が装着されている場合（Ｓ３のＹＥＳ）、電池パック５４の充電が必要であれば（Ｓ４のＹＥＳ）、すなわち電池パック５４が満充電でなければ、電池充電制御を行う（Ｓ５）。マイコン６０は、充電制御と並行して、ペルチェ素子３０の制御（後述のＳ６〜Ｓ１１）を行ってもよい。この場合、充電迅速化の観点から、ペルチェ素子３０の駆動はエコモード（Ｓ１０）に固定してもよい。そして、充電が完了すると、ハイパワーモード（Ｓ８、Ｓ１１）としてもよい。
【００３６】
マイコン６０は、電池パック５４が装着されていない場合（Ｓ３のＮＯ）及び電池パック５４の充電が必要ない場合、保冷モードか保温モードかの確認を行い（Ｓ６）、モードに応じてスイッチ機構６６を切り替える。マイコン６０は、保冷モードの場合も保温モードの場合も、ハイパワーモードかエコモードの確認を行い（Ｓ７、Ｓ９）、ハイパワーモードであれば、スイッチング素子Ｑ４の制御により、ペルチェ素子３０をデューティ比１００％で駆動する（Ｓ８、Ｓ１１）。マイコン６０は、エコモードであれば、スイッチング素子Ｑ４の制御により、ペルチェ素子３０をデューティ比６５％で駆動する（Ｓ１０）。マイコン６０は、ペルチェ素子３０の駆動と並行して、スイッチング素子Ｑ２,Ｑ３の制御により、上部ファン３２及び下部ファン３４を駆動する。
【００３７】
マイコン６０は、アダプタ電圧の入力がない場合において（Ｓ１のＮＯ）、電源ボタン５１ａがオンされると（Ｓ２１のＹＥＳ）、保冷モードか保温モードかの確認を行い（Ｓ２２）、モードに応じてスイッチ機構６６を切り替える。マイコン６０は、保冷モードの場合も保温モードの場合も、ハイパワーモードかエコモードの確認を行い（Ｓ２３、Ｓ３０）、ハイパワーモードであれば、スイッチング素子Ｑ４の制御により、ペルチェ素子３０をデューティ比１００％で駆動する（Ｓ２４、Ｓ３７）。マイコン６０は、エコモードであれば、スイッチング素子Ｑ４の制御により、ペルチェ素子３０をデューティ比６５％で駆動する（Ｓ３１）。マイコン６０は、ペルチェ素子３０の駆動と並行して、スイッチング素子Ｑ２,Ｑ３の制御により、上部ファン３２及び下部ファン３４を駆動する。なお、ステップＳ２，Ｓ２１で電源ボタン５１ａがオンされない場合にはオンされるまで待機する。
【００３８】
以下、保冷運転時における消費電力低減制御について説明する。マイコン６０は、保冷モードにおいてペルチェ素子３０をデューティ比１００％で駆動しているときに（Ｓ２４）、庫内温度センサ６７によって検出した庫内温度が庫外温度センサ６８によって検出した外気温（庫外温度）よりも２０℃以上低くなると（Ｓ２５のＹＥＳ）、ペルチェ素子３０、上部ファン３２、及び下部ファン３４への電力供給を停止する（Ｓ２６）。マイコン６０は、その後、所定時間経過後に下部ファン３４を数分間駆動し（Ｓ２７）、庫内温度が外気温−１５℃以下である限り（Ｓ２８のＹＥＳ）、ペルチェ素子３０及び上部ファン３２の停止を維持しながら（Ｓ２６）、下部ファン３４の間欠駆動を繰り返す（Ｓ２７）。マイコン６０は、庫内温度が外気温−１５℃を超えると（Ｓ２８のＮｏ）、ペルチェ素子３０をデューティ比１００％で駆動する（Ｓ２９）と共に上部ファン３２及び下部ファン３４を駆動し、ステップＳ２５に戻る。
【００３９】
マイコン６０は、保冷モードにおいてペルチェ素子３０をデューティ比６５％で駆動しているときに（Ｓ３１）、庫内温度センサ６７によって検出した庫内温度が庫外温度センサ６８によって検出した外気温（庫外温度）よりも１５℃以上低くなると（Ｓ３２のＹＥＳ）、ペルチェ素子３０、上部ファン３２、及び下部ファン３４への電力供給を停止する（Ｓ３３）。マイコン６０は、その後、所定時間経過後に下部ファン３４を数分間駆動し（Ｓ３４）、庫内温度が外気温−１０℃以下である限り（Ｓ３５のＹＥＳ）、ペルチェ素子３０及び上部ファン３２の停止を維持しながら（Ｓ３３）、下部ファン３４の間欠駆動を繰り返す（Ｓ３４）。マイコン６０は、庫内温度が外気温−１０℃を超えると（Ｓ３５のＮｏ）、ペルチェ素子３０をデューティ比１００％で駆動する（Ｓ３６）と共に上部ファン３２及び下部ファン３４を駆動し、ステップＳ３２に戻る。
【００４０】
なお、図１７では図示を省略したが、マイコン６０は、保温運転時においても保冷運転時と同様に消費電力低減制御を行う。
【００４１】
図１８は、冷温庫１の動作の一例を示すタイムチャートである。図１８のタイムチャートは、上から順に、ペルチェ素子３０及び上部ファン３２の駆動（ＯＮ）及び停止（ＯＦＦ）、下部ファン３４の駆動及び停止、保冷運転時の庫内温度変化、保温運転時の庫内温度変化、ペルチェ素子３０への供給電圧のデューティ比の例１、同デューティ比の例２を示す。時刻ｔ０において冷温庫１の電源がオンされると、マイコン６０は、ペルチェ素子３０、上部ファン３２、及び下部ファン３４を駆動する。マイコン６０は、電源オンから所定時間が経過した時刻ｔ１において、庫内温度と外気温の確認を行い、図１８の例では保冷運転において庫内温度が外気温より所定温度（例えば２０℃）低い第１温度以下であり、又は保温運転において庫内温度が外気温より所定温度（例えば４０℃）高い第２温度以上であるため、いずれの場合にもペルチェ素子３０、上部ファン３２、及び下部ファン３４を停止する。マイコン６０は、時刻ｔ１以降、保冷運転において庫内温度が外気温より所定温度（例えば１５℃）低い第３温度を超えるまで、保温運転において庫内温度が外気温より所定温度（例えば３５℃）高い第４温度以下になるまで、ペルチェ素子３０及び上部ファン３２の停止を維持しながら下部ファン３４を間欠駆動する。マイコン６０は、時刻ｔ２において、保冷運転において庫内温度が第３温度を超え、又は保温運転において庫内温度が第４温度以下になったため、ペルチェ素子３０及び上部ファン３２の駆動を再開し、下部ファン３４も連続駆動に戻す。その後、時刻ｔ３において、保冷運転において庫内温度が第１温度以下となり、又は保温運転において庫内温度が第２温度以上になったため、時刻ｔ１からｔ２と同様に消費電力低減制御を行う。なお、消費電力低減制御におけるペルチェ素子３０の駆動電圧のデューティ比は、例１に示す０％（停止）に限定されず、例２に示すように１０％（微弱駆動）であってもよい。また、通常制御におけるペルチェ素子３０の駆動電圧のデューティ比は、例１に示す１００％に限定されず、例２に示すように９０％であってもよい。なお、図１８では、保冷運転と保温運転を同時に図示しているが、実際には選択された運転モードによって個別に制御される。
【００４２】
本実施の形態によれば、下記の効果を奏することができる。
【００４３】
(1) 蓋体２０にペルチェ素子３０、上部フィン３１、上部ファン３２、下部フィン３３、及び下部ファン３４を設けているため、従来のようにペルチェ素子を配置しただけのものと比較して、加温ないし冷却の効率が高い。
【００４４】
(2) 電池パック５４は、電動工具駆動用の電池パックであるため、汎用性が高い。
【００４５】
(3) 電池パック５４が着脱可能なため、着脱不能の内蔵バッテリを用いる場合と異なり、電池パック５４が寿命を迎えたり故障したりしても別の電池パック５４と交換することで冷温庫１を使用でき、また予備の電池パック５４を持っていれば容量を使い切っても交換により冷温庫１の使用を継続できる（駆動時間を延長できる）。
【００４６】
(4) ペルチェ素子３０、上部フィン３１、上部ファン３２、下部フィン３３、及び下部ファン３４を、蓋体２０の中央から電源ボックス５０寄りにずらした配置としているため、配線５６が短くて済み、また、ずらしたことで空いた蓋体２０の下部の電源ボックス５０と反対側には凹部２３ａを設けることで、庫内空間１０ａを広げ容量を大きくすることができる。
【００４７】
(5) 断熱材として発泡ウレタン１９,２９を用いており、配線５６を引き回した後に発泡ウレタン１９,２９を充填することにより、配線５６を容易に発泡ウレタン１９,２９内に通すことができる。
【００４８】
(6) 電源ボックス５０が本体１０と別体であるため、水密構造を取りやすい。
【００４９】
(7) マイコン６０は、電池駆動時に庫内温度が所定条件を満たすと、すなわち保冷モードにおいて庫内温度が第１温度以下になると、あるいは保温モードにおいて庫内温度が第２温度以上になると、消費電力低減制御を行うため、庫内温度に関わらずペルチェ素子３０をデューティ比１００％で駆動する場合と比較して、消費電力を低減し、電池パック５４による駆動時間を長くすることができる。特に庫内に保冷剤を入れている場合等に、ペルチェ素子３０の無駄な駆動を抑制でき、効果的に消費電力を低減できる。
【００５０】
(8) 第１〜第４温度を外気温との関係で設定するため、外気温と無関係に設定する場合と比較して、ペルチェ素子３０の能力に合わせた最適な消費電力低減制御が可能となる。
【００５１】
(9) 消費電力低減制御においては、ペルチェ素子３０を停止している間に下部ファン３４を間欠駆動して庫内の空気を循環させるため、庫内上部と下部の温度差を低減して庫内温度を均一化し、効率的な運転が可能となる。
【００５２】
(10) ペルチェ素子３０やファン３２，３４等と回路基板５５との配線を踏まえた最適配置を実現することができる。また、電池パック５４を蓋部２０に配置した場合と比較して蓋部２０を軽くすることができ、蓋部２０の開閉を容易にすることができる。また、ペルチェ素子３０やファン３２，３４を本体１０側に配置した場合と比較して庫内空間１０ａの左右のスペースを確保することができると共に、上下のスペースが凹部２３ａを設けたため確保することができる。
【００５３】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５４】
実施の形態では加温及び冷却が可能な冷温庫１を例に本発明を説明したが、本発明は、加温のみが可能な保温庫、及び冷却のみが可能な保冷庫、のいずれにも適用可能である。
【符号の説明】
【００５５】
１  冷温庫、
１０  本体、１１  側面部、１２  底面部、１３  ロック機構、１４  回動支持部、１５  凹部、１６  肩掛けバンド、１７  把手部、１８  連結部材、１９  発泡ウレタン（断熱材）、
２０  蓋体、２１  上面部、２２  側面部、２３  下面部、２４  収納部、２４ａ  収納部カバー、２５  上部吸気口、２６  上部排気口、２９  発泡ウレタン（断熱材）、
３０  ペルチェ素子（熱電素子）、３１  上部フィン（第１フィン）、３２  上部ファン（第１ファン）、３３  下部フィン（第２フィン）、３４  下部ファン（第２ファン）、３５  下部ファンカバー、３６  下部吸気口、３７  下部排気口、
５０  電源ボックス、５１  操作パネル、５１ａ  電源ボタン、５１ｂ  モード切替ボタン、５１ｃ  保冷モード表示ランプ、５１ｄ  保温モード表示ランプ、５１ｅ  パワー切替ボタン、５１ｆ  ハイパワーモード表示ランプ、５１ｇ  エコモード表示ランプ、５１ｈ  充電表示ランプ、５２  ＤＣインプット部カバー、５３  電池挿入部カバー、５４  電池パック、５５  回路基板、５６  配線、５７  水密封止材
６０  マイコン（制御部）、６１  充電回路、６２  充電用ＩＣ、６３  トランス、６４  レギュレータ（電源回路）、６５  ＤＣ／ＤＣコンバータ、６６  スイッチ機構、６７  庫内温度センサ、６８  庫外温度センサ
【図１】
2018091501.tif 000003
【図２】
2018091501.tif 000004
【図３】
2018091501.tif 000005
【図４】
2018091501.tif 000006
【図５】
2018091501.tif 000007
【図６】
2018091501.tif 000008
【図７】
2018091501.tif 000009
【図８】
2018091501.tif 000010
【図９】
2018091501.tif 000011
【図１０】
2018091501.tif 000012
【図１１】
2018091501.tif 000013
【図１２】
2018091501.tif 000014
【図１３】
2018091501.tif 000015
【図１４】
2018091501.tif 000016
【図１５】
2018091501.tif 000017
【図１６】
2018091501.tif 000018
【図１７】
2018091501.tif 000019
【図１８】
2018091501.tif 000020